(57)【特許請求の範囲】
【請求項１】
一端側を開閉操作部とし他端側を毛髪挟着部とした２個一対のクリップ本体を、互いに対向させ前記毛髪挟着部が対向方向に開閉するように前記開閉操作部側を枢着し、前記毛髪挟着部を対向内方へ相互に付勢する付勢手段を備えているヘアークリップにおいて、
前記クリップ本体のうち少なくとも一方は、外郭を形成する樹脂製の外側構成材の内側にクリップ本体の対向方向に貫通しかつ長手方向に延びる溝状の嵌装部を形成し、この嵌装部内に前記外側構成材よりも硬度の低い樹脂で前記開閉操作部の手指が触れる指先接触面と前記クリップ本体の対向方向内面側で毛髪を挟み込むための毛髪狭着面とを形成する内側構成材を設けており、前記外側構成材の外側面を内側構成材の指先接触面と面一にするとともに前記内側構成材の指先接触面を開閉操作部の指先接触側のほぼ全面に形成し、前記外側構成材の対向方向内面を前記内側構成材の毛髪狭着面と面一にするとともに前記内側構成材の毛髪狭着面を前記毛髪挟着部の対向面のほぼ全面に形成したことを特徴とするヘアークリップ。
【請求項２】
硬度の異なる２種類の樹脂からなる外側構成材と内側構成材とを一体成形したことを特徴とする請求項１に記載のヘアークリップ。
【請求項３】
硬度の異なる２種類の樹脂からなる外側構成材と内側構成材とを別体成形したことを特徴とする請求項１に記載のヘアークリップ。
【請求項４】
外側構成材と内側構成材の樹脂の色を異にしたことを特徴とする請求項１から３のいずれかに記載のヘアークリップ。
【請求項５】
前記クリップ本体の一方を樹脂製とし、他方を金属製としたことを特徴とする請求項１から４のいずれかに記載のヘアークリップ。
【発明の詳細な説明】
【０００１】
【発明の属する技術分野】
本発明は、ヘアークリップに関するものである。
【０００２】
【従来の技術】
従来、この種ヘアークリップとしては、一端側を開閉操作部とし他端側を毛髪挟着部とした２個一対のクリップ本体を、互いに対向させて前記挟着部が対向方向に開閉するように前記操作部側を枢着し、前記挟着部を対向内方へ相互に付勢する蔓巻ばねを設けたものが知られている。このヘアークリップは、前記開閉操作部が、毛髪挟着部に対して非常に短く（約１／６）なっており、クリップ本体が一種類の合成樹脂により構成されている。また、２個一対のクリップ本体は、一方が合成樹脂製で他方が金属製とされている。
【０００３】
そして、ヘアーサロン等の美容院では、多数のヘアークリップを短時間で使用している。
【０００４】
【発明が解決しようとする課題】
ところで、従来のヘアークリップは、美容院等で業務用として使用する場合、前記クリップ本体の開閉操作部を親指と人指し指の指先で摘んで、前記毛髪挟着部を開くが、その操作に相当大きい力を必要とし、しかも使用頻度が激しいため、手指の疲労が大であり、指先が滑り易くかつ傷つき易い等の問題がある。
そこで、クリップ本体の構成材料として、軟質合成樹脂を採用することも考えられるが、開閉操作に相当の力が必要でかつ蔓巻ばねを保持する強度を要するうえ、毛髪挟着部の毛髪を適度に挟持するための剛性を確保しなければならないので、これを採用するにも問題がある。
【０００５】
本発明は、上述のような実情に鑑みてなされたもので、その目的とするところは、クリップの使用に際して、開閉操作部が指先に馴染み易くかつ滑らず、開閉操作が容易でしかも指先を傷つけるのを防止できるようにすることであり、さらに、毛髪挟着部が滑らず毛髪をしっかりと挟んで確実に止めることができるヘアークリップを提供するにある。
【０００６】
【課題を解決するための手段】
本発明では、上記目的を達成するために、次の技術的手段を講じている。
即ち、本発明に係るヘアークリップは、一端側を開閉操作部とし他端側を毛髪挟着部とした２個一対のクリップ本体を、互いに対向させ前記挟着部が対向方向に開閉するように前記操作部側を枢着し、前記挟着部を対向内方へ相互に付勢する付勢手段を備えているヘアークリップにおいて、
前記クリップ本体のうち少なくとも一方の開閉操作部を、硬度の異なる２種類の樹脂により構成したことを特徴としている。
【０００７】
この場合、硬い樹脂はクリップ本体の剛性を確保するのに必要な部分に使用し、軟らかい樹脂は指先表皮が触れる部分に使用するのが好ましい。かかる構成とすることで、前記付勢手段を安定良くかつ確実に保持させることができ、指先の表皮に良く馴染みかつ滑らず、開閉操作がし易いうえ指先表皮の負傷を防止でき、使用頻度の多いときでも、手指の疲労度を軽減することができる。
また、本発明に係るヘアークリップは、一端側を開閉操作部とし他端側を毛髪挟着部とした２個一対のクリップ本体を、互いに対向させ前記挟着部が対向方向に開閉するように前記操作部側を枢着し、前記挟着部を対向内方へ相互に付勢する付勢手段を備えているヘアークリップにおいて、
前記クリップ本体のうち少なくとも一方の挟着部を硬度の異なる２種類の樹脂により構成し、軟らかい方の樹脂が滑り止め機能を備えていることを特徴としている。
【０００８】
この場合、硬い樹脂は、クリップ本体の前記挟着部の剛性を確保すると共に、十分な挟着力を与えるのに必要な部分に使用するのが好ましい。そして、柔らかい樹脂は、毛髪を挟んだときの滑り止め機能を発揮し、毛髪に対して滑らずしっかりと毛髪を挟み止めることができる。
さらに、軟らかい樹脂に滑り止め部（凹凸等）を別途形成すれば、一層滑り止め機能を向上させることができる。
そして、本発明に係るヘアークリップは、前記クリップ本体のうち少なくとも一方の開閉操作部を、手指が触れる側の全面又は一部分だけ軟質樹脂で構成した点に特徴がある。なお、前記一部分だけ軟らかい樹脂を設ける場合は、周囲を除く中央部とするのが好ましい。即ち、少なくとも手の指先が強く当たる部分に、指に優しくかつ他の部分よりも軟らかい樹脂を設ける。
【０００９】
さらには、前記クリップ本体のうち少なくとも一方の開閉操作部の手指が触れる側の面の外周側が硬質樹脂で、内側が軟質樹脂で構成されているのが好適である。
さらに、本発明に係るヘアークリップは、前記クリップ本体のうち少なくとも一方の挟着部を、対向内側の全面又は一部分だけ軟質樹脂により構成した点に特徴がある。かかる構成とすることで、滑り止め機能を確保できると共に、挟着部の強度並びに挟着力を確保可能である。なお、前記挟着部の対向内側の一部分にだけ軟らかい樹脂を採用するときは、外周部を除いた方が、クリップを開いて毛髪から離すとき、離れ易くかつ作業が楽で能率的にできる。
【００１０】
さらには、前記クリップ本体のうち少なくとも一方の挟着部の対向内面の外周側が硬質樹脂で、内側が軟質樹脂で構成されているのが好適である。
また、本発明は、硬度の異なる２種類の樹脂からなる前記クリップ本体を一体成形した点に特徴がある。かかる構成とすることで、品質並びに生産性の向上及びコスト低下を図ることができる。
そして、本発明は、前記クリップ本体の硬度の異なる２種類の樹脂からなる構成材を別体成形し、該構成材を組み立ててクリップ本体を構成することができる。
【００１１】
さらに、本発明は、前記クリップ本体を構成する２種類の樹脂の色を異にした構成とすることができる。デザイン性及びフアッション性を高め、個性的でしかも実用的なヘアークリップとすることができる。
前記クリップ本体の一方を金属製とすることができ、また、両方のクリップ本体を樹脂により構成できると共に、その一方のみに本発明を採用することができる。
また、前記樹脂材料（特に硬質樹脂）としては、フェノール樹脂、アクリル樹脂、ナイロン、ポリアセタール、ポリカーボネート、ＡＢＳ樹脂、ＰＰ、ポリエチレン樹脂、硬質塩化ビニルが挙げられる。また、硬質樹脂の目安としては、硬度がロックウェルＲで１００以上程度のものが好適である。さらには、ロックウェルＲで１００〜１４０程度が好適である。
【００１２】
また、他の前記樹脂材料（特に軟質樹脂）としては、軟質ナイロン、オレフィン系エラストマー、ポリウレタン系エラストマー、スチレン系エラストマー、ＰＶＣ系エラストマー、ポリエステル系エラストマー等のエラストマーの他、ポリブタジエンなどのゴムであってもよい。他にも、エチレン−酢酸ビニル共重合体（ＥＶＡ）、軟質ポリ塩化ビニルなどであってもよい。また、軟質樹脂の目安としては、ショアＤで硬度６０以下程度が好適である。さらには、ショアＤで１０〜６０程度が好適である。
【００１３】
また、ポリエチレン樹脂等のようにショアＤで６０を超えるものもある材料であっても、６０以下程度のものが存在する場合には、その６０以下程度のポリエチレン樹脂等を軟質樹脂として採用することもできる。
また、本発明における、「硬度の異なる２種類の樹脂」にあっては、一方の樹脂が前記硬質樹脂の中から選択され、他方の樹脂が前記軟質樹脂の中から選択される必要はない。すなわち、２種類の樹脂に硬度差があれば十分である。
本発明において、クリップ本体を構成する前記樹脂のうち、軟らかい構成材は硬い構成材と面一であってもよく、また、軟らかい構成材が硬い構成材から若干突出していてもよい。なお、軟らかい構成材の硬い構成材の表面からの突出量は、０．５ｍｍ以下が好ましい。
【００１４】
【発明の実施の形態】
以下、本発明の実施の形態を図面に基づいて説明する。
図１乃至図７は、本発明に係るヘアークリップ１の第一の実施形態を示している。
このヘアークリップ１は、一端側を開閉操作部２ａとし、他端側を毛髪挟着部２ｂとした合成樹脂製のクリップ本体２と、一端側を開閉操作部３ａとし、他端側を毛髪挟着部３ｂとした金属製のクリップ本体３と、両クリップ本体２，３を互いに対向させ前記挟着部２ｂ，３ｂが対向方向に開閉するように前記操作部２ａ，３ａ側を枢着する横軸４と、前記挟着部２ｂ，３ｂを対向内方へ相互に付勢する付勢手段即ち蔓巻ばね５とにより構成されている。
【００１５】
前記クリップ本体２は、硬い合成樹脂（硬質合成樹脂）からなる外周側の構成材６と、該構成材６よりも硬度の低い合成樹脂（軟質合成樹脂）からなる内側の構成材７とにより、一体成形されている。ここでは、外周側の構成材６としてポリカーボネート樹脂を使用し、内側の構成材７としてエラストマーを使用した。なお、前記構成材６としては、ロックウエルＲ硬度１００乃至１４０の合成樹脂、例えば、ポリアセタール（硬度約１２０）、ＡＢＳ、ＰＰを採用することができる。また、前記構成材７としては、ショアＤ硬度１０乃至６０（又はＪＩＳＡ表面硬度６０乃至１００の合成樹脂）、例えば、軟質ポリエチレン、軟質ナイロン１２、プルプレン（ポリエステル系エラストマー）を採用することができる。
【００１６】
なお、クリップ本体２は、前記構成材６によって外郭が形成され、その内側にクリップ本体２の対向方向に貫通しかつ長手方向に延びる溝状の構成材７嵌装部が形成されている。
また、前記クリップ本体２の前記開閉操作部２ａは、前記本体２の幅方向両側に位置して、かつ前記クリップ本体３と対向する側に互いに平行に突設された軸支ブラケットを兼ねる前記構成材６からなる連結片８，８を備え、該連結片８には前記軸４の挿通孔９，９が切り欠き状にかつ左右対向方向に貫通状に設けられている。従って、開閉操作部２ａの剛性・強度を確保することができ、かつ、蔓巻ばね５を安定良く確実に保持できる。
【００１７】
そして、前記操作部２ａの中央部を構成する構成材７は、クリップ操作時に手の指先接触面７ａが、前記構成材６の外側面６ａと面一とされており、操作者の指先表皮に馴染み易く、かつ指先が滑らずしっかりと固定できると共に開閉操作が非常にし易い。また、構成材７が前述のように軟質であるから、指先表皮が傷つくのを防止でき、使用頻度が激しい場合でも手の負傷を無くしかつ疲労を軽減することができる。
さらに、クリップ本体２の毛髪挟着部２ｂは、外周側の構成材６により十分な挟着力が確保できる剛性・強度を備えており、前記構成材７嵌装部には毛髪挟着面側の半分に前記構成材７が嵌着され、該構成材７の毛髪挟着面７ｂが前記構成材６の毛髪挟着面６ｂと面一とされている。従って、毛髪を該挟着部２ｂで挟んだ時、軟質である前記構成材７が滑り止め機能を発揮し、毛髪をしっかりと挟み止めることができる。
【００１８】
前記クリップ本体３は、前述のように金属例えばアルミニウム合金製で、前記挟着部３ｂの長さは、クリップ本体２と同じ長さとされ、開閉操作部３ａは前記操作部２ａよりも若干長くされており、該操作部３ａの幅方向両側には前記クリップ本体２の連結片８に対向しかつ連結片８の外側に位置するように互いに平行状に連結片１０，１０が屈曲形成されている。そして、この連結片１０には、軸孔１１が左右即ち前記本体３幅方向に貫通状に設けられている。
前記クリップ本体２，３は、その連結片８，１０に設けた軸孔９，１１に、前記横軸４が挿通されて、両クリップ本体２，３が連結一体化され、前記両挟着部２ｂ、３ｂが互いに対向方向に開閉するように構成される。
【００１９】
なお、前記構成材６，７は、それぞれの色を異にすることができる。例えば、構成材６を白色、構成材７を赤色とすることにより、デザイン性、ファッション性を高め、個性的でかつ実用的な、しかも良い品質のクリップ１とすることが可能である。
上記第一実施形態によれば、前記クリップ本体２の開閉操作部２ａが操作者の指先表皮に馴染み易く、かつ指先が滑らずしっかりと固定できると共に開閉操作が非常にし易い。また、操作者の指先が強く当たる中央部の構成材７が前述のように軟質であるから、指先表皮が傷つくのを防止でき、使用頻度が激しい場合でも手の負傷を無くしかつ疲労を軽減することができる。しかも、前記連結片８及び開閉操作部２ａの外周側が硬い合成樹脂からなる構成材６により構成されているので、十分な強度と剛性があり、蔓巻ばね５を安定良くかつ確実に保持でき、頻繁に使用しても破損の恐れはなく、耐久性が大である。
【００２０】
さらに、クリップ本体２の毛髪挟着部２ｂは、外周側の硬い合成樹脂からなる構成材６により十分な挟着力が確保できる剛性・強度を備えており、毛髪を該挟着部２ｂで挟んだ時、軟質である前記構成材７が滑り止め機能を発揮し、毛髪をしっかりと挟み止めることができる。しかも、挟着部２ｂの外周側が硬い合成樹脂であるから、クリップ１を開いた時に、毛髪がクリップ本体２の挟着部２ｂから離れ易く、作業性を向上させることができる。
なお、上記第一実施形態において、開閉操作部２ａの指先接触面７ａと、毛髪挟着部２ｂの毛髪挟着面７ｂが、クリップ本体２の構成材６の表面６ａ，６ｂと面一とされているが、構成材６の表面６ａ，６ｂよりも若干（０．５ｍｍ程度）突出させてもよい。
【００２１】
図８乃至図１３は、本発明の第二の実施形態の要部即ちクリップ本体２を示している。
この第二実施形態と第一実施形態とは、クリップ本体２の開閉操作部２ａの構成材７が、指先接触側のほぼ全面にわたるように設けられている点と、毛髪挟着部２ｂの構成材７が、毛髪挟着部２ｂのクリップ本体３との対向面のほぼ全面にわたって設けられている点であり、第一実施形態と同等の作用効果を期待することができる。従って、第一実施形態と共通する構成部分については、図１乃至図７と同符号を付し、説明は省略する。
【００２２】
なお、前記構成材７は、前記指先接触側の全面と、毛髪挟着面側の全面に設けることができる。
本発明は、上記各実施形態に限定されるものではなく、例えば、クリップ本体２，３共に樹脂製とすることができ、また、クリップ本体３も２つの前記構成材６，７により一体成形することができる。そして、前記構成材６，７はそれぞれ個別に成形してこれらを組み立ててクリップ本体２又は３とすることが可能であり、さらに、クリップ本体２，３の形状・構造等については適宜設計変更可能である。なお、毛髪挟着部２ｂの毛髪挟着面６ｂ，７ｂには、その一方又は両方に滑り止め用の突起を設けることができる。
【００２３】
【発明の効果】
本発明に係るヘアークリップは、以上のように、前記クリップ本体のうち少なくとも一方の開閉操作部を、硬度の異なる２種類の樹脂により構成したので、硬い樹脂はクリップ本体の剛性を確保するのに必要な部分に使用し、軟らかい樹脂は指先表皮が触れる部分に使用することで、前記付勢手段を安定良くかつ確実に保持させることができ、指先の表皮に良く馴染みかつ滑らず、開閉操作がし易いうえ指先表皮の負傷を防止でき、使用頻度の多いときでも、手指の疲労度を軽減することができる。
【００２４】
また、本発明に係るヘアークリップは、前記クリップ本体のうち少なくとも一方の挟着部を硬度の異なる２種類の樹脂により構成し、軟らかい方の樹脂が滑り止め機能を備えているので、硬い樹脂は、クリップ本体の前記挟着部の剛性を確保すると共に、十分な挟着力を与えるのに必要な部分に使用することで、挟着部が毛髪に対して滑らずしっかりと毛髪を挟み止めることができ、使いやすくなる。
【図面の簡単な説明】
【図１】本発明に係るヘアークリップの第一実施形態を示す全体斜視図である。
【図２】同第一実施形態における合成樹脂製クリップ本体の平面図である。
【図３】同クリップ本体の側面図である。
【図４】図３の下面図である。
【図５】図２のＡ−Ａ線断面拡大図である。
【図６】図２のＢ−Ｂ線断面拡大図である。
【図７】図３のＣ−Ｃ線断面拡大図である。
【図８】本発明に係るヘアークリップの第二実施形態の要部である合成樹脂製クリップ本体の平面図である。
【図９】図８の側面図である。
【図１０】図９の下面図である。
【図１１】図８のＤ−Ｄ線断面拡大図である。
【図１２】図８のＥ−Ｅ線断面拡大図である。
【図１３】図９のＦ−Ｆ線断面拡大図である。
【符号の説明】
１    ヘアークリップ
２    クリップ本体
２ａ  開閉操作部
２ｂ  毛髪挟着部
３    クリップ本体
３ａ  開閉操作部
３ｂ  毛髪挟着部
５    蔓巻ばね
６    硬い合成樹脂からなる構成材
６ａ  指先接触側表面
６ｂ  毛髪挟着側表面
７    軟らかい合成樹脂からなる構成材
７ａ  指先接触面
７ｂ  毛髪挟着面
【図１】
0003585852.tif 000002
【図２】
0003585852.tif 000003
【図３】
0003585852.tif 000004
【図４】
0003585852.tif 000005
【図５】
0003585852.tif 000006
【図６】
0003585852.tif 000007
【図７】
0003585852.tif 000008
【図８】
0003585852.tif 000009
【図９】
0003585852.tif 000010
【図１０】
0003585852.tif 000011
【図１１】
0003585852.tif 000012
【図１２】
0003585852.tif 000013
【図１３】
0003585852.tif 000014